(57)【要約】【課題】各遊技機における遊技者毎の出玉数を正確に把握し、遊技場内の出玉の管理を行う。【解決手段】複数の遊技機から出力される所定の遊技信号を収集して、遊技者が獲得した手持ちの遊技媒体数を管理する島管理装置４０を備えた遊技場管理システムにおいて、島管理装置４０は、遊技信号に基づいて手持ちの遊技媒体数を遊技機毎に算出する算出手段（Ｓ１１）と、各遊技機における遊技者の入替りを判定する入替り判定手段と、入替り判定手段によって入替りが判定された遊技機の手持ちの遊技媒体数を初期化する初期化手段（Ｓ１２）とを備えた構成としてある。【選択図】図３
2010240296.tif 000002
【特許請求の範囲】
【請求項１】
複数の遊技機から出力される所定の遊技信号を収集して、遊技者が獲得した手持ちの遊技媒体数を管理する管理装置を備えた遊技場管理システムにおいて、
前記管理装置は、
前記遊技信号に基づいて前記手持ちの遊技媒体数を遊技機毎に算出する算出手段と、
各遊技機における遊技者の入替りを判定する入替り判定手段と、
当該入替り判定手段によって入替りが判定された遊技機の前記手持ちの遊技媒体数を初期化する初期化手段と、
を備えたことを特徴とする遊技場管理システム。
【請求項２】
前記入替り判定手段は、遊技機から稼働を示す遊技信号が入力された後、所定時間入力がされない場合に、遊技者の入替りと判定する請求項１記載の遊技場管理システム。
【請求項３】
遊技者が入替った遊技機を特定可能な遊技機情報が入力され、前記遊技機情報を前記管理装置へ送信する遊技機情報送信手段を備え、
前記入替り判定手段は、前記遊技機情報が示す遊技機を遊技者が入替った遊技機と判定する請求項１又は２記載の遊技場管理システム。
【請求項４】
前記管理装置と通信可能に接続されて遊技媒体を計数する計数装置を備え、
当該計数装置は、前記遊技機情報送信手段を備えるとともに、前記管理装置から送信され、遊技者の入替りが判定された遊技機における前記手持ちの遊技媒体数から計数した計数値を減算して得た差数を、基準となる値と比較し、この比較結果に基づいて異常の判定処理を行う異常判定処理手段を備えた請求項３記載の遊技場管理システム。
【請求項５】
前記異常判定処理手段は、
前記差数が正の数であって、かつ、所定範囲外の場合は、遊技媒体の持出しによる異常と判定し、
前記差数が負の数であって、かつ、所定範囲外の場合は、遊技媒体の持込みによる異常と判定する請求項４記載の遊技場管理システム。
【請求項６】
前記管理装置は、前記計数装置から送信された前記差数が正の数であって、かつ、所定範囲内の場合は、前記差数を次の遊技者の前記手持ちの遊技媒体数とする補正を行う補正手段を備えた請求項４又は５記載の遊技場管理システム。
【請求項７】
一遊技媒体あたりの貸出料金を示す貸出レート毎に設置された前記計数装置と各遊技機とが対応付けられて前記管理装置に記憶され、前記管理装置は、入替りが判定された遊技機と対応付けられていない前記計数装置で遊技媒体が計数された場合に異常と判定する請求項４〜６のいずれか一項に記載の遊技場管理システム。
【請求項８】
前記計数装置は、前記入替り判定手段が遊技者の入替りを判定し、前記管理装置から入替りと判定された遊技機の情報を受信した後に、所定時間経過内に計数がされない場合、入替りと判定された遊技機の前記計数値をゼロとみなす請求項４〜７のいずれか一項に記載の遊技場管理システム。
【請求項９】
前記管理装置は、
前記異常判定処理手段によって異常と判定された情報をエラー履歴情報として記憶する記憶手段と、
当該記憶手段に記憶されている前記エラー履歴情報を時系列に表示する表示手段と、を備えた請求項４〜８のいずれか一項に記載の遊技場管理システム。
【請求項１０】
前記表示手段は、前記貸出レート毎に前記エラー履歴情報を表示するとともに、低い貸出レートから高い貸出レートへの遊技媒体の持出しによる前記エラー履歴情報に所定の態様で強調表示をする請求項９記載の遊技場管理システム。
【発明の詳細な説明】
【技術分野】
【０００１】
本発明は、遊技場管理システムに関し、特に、遊技場内に設置された各遊技機の出玉を正確に管理する遊技場管理システムに関する。
【背景技術】
【０００２】
一般に、パチンコ機やスロットマシン等の遊技機が設置された遊技場においては、各遊技機から出力される遊技信号（セーフ信号、アウト信号、スタート信号、大当り信号等）や遊技場に設置された各種装置（遊技媒体貸出機など）からの信号を収集して、種々の遊技情報を管理する管理装置が設けられている。
この管理装置で収集・管理される出玉に関する情報は、遊技場の管理者などが遊技場経営における営業戦略を立てるうえで重要な指標となっている。そして、出玉に関する情報から、例えば、翌日以降の出玉率の設定調整などを決定している。このように出玉に関する情報は、遊技場の利益に関わる情報であるため、遊技場側では正確な出玉数を把握することを必要としている。
【０００３】
また、従来から、例えば、他の遊技場からの遊技媒体の持込み・持出しや、遊技場内での貸出レートが異なる他の遊技機や遊技機設置島等からの遊技媒体の持込み・持出しによる不正な行為が知られている。
そして、この種の不正な行為は、例えば、低レートから高レートへ遊技媒体が持込まれて、遊技及び計数が行われた場合には、遊技場にとって大きな被害が生じる可能性がある。そのため、遊技場ではこれらの不正な行為を防止するために、各遊技機の出玉を正確に集計し、監視する必要がある。
【０００４】
このような不正な行為を発見するための技術として、例えば、遊技の終了を検出した場合に、遊技台を終了候補遊技台として判定する終了候補判定手段と、各遊技操作信号に基づいて、終了候補判定手段が終了候補遊技台と判定した遊技台における遊技媒体の総数を終了候補遊技媒体総数として特定する終了候補遊技媒体特定手段とを設け、この終了候補遊技媒体総数と計数装置が特定した計数遊技媒体とを比較することで不正を発見する技術が提案されている（特許文献１）。
このような技術を用いることによって、遊技台における持玉（終了候補遊技媒体総数）と計数装置による計数玉（計数遊技媒体）とを対応付けて照合することで計数における不正を発見できる。
【先行技術文献】
【特許文献】
【０００５】
【特許文献１】特開２００８−２１２２７９号公報
【発明の概要】
【発明が解決しようとする課題】
【０００６】
しかしながら、特許文献１に記載の技術では、複数存在する同数の終了候補持玉から計数玉と近似している終了候補持玉を決定し、計数玉と終了候補持玉との対応付けを行うため、計数した遊技台と持玉を獲得した遊技台が異なる場合があり、このような場合には正確な出玉の照合を行うことができない。
【０００７】
本発明は、上記のような従来の技術が有する問題を解決するために提案されたものであり、各遊技機が獲得した手持ちの遊技媒体数を算出し、遊技者の入替りを検出した遊技機に対応する手持ちの遊技媒体数を初期化する管理装置を備え、各遊技機における出玉を正確に照合し、管理することができる遊技場管理システムを提供することを目的とする。
【課題を解決するための手段】
【０００８】
上記目的を達成するため、本発明の遊技場管理システムは、複数の遊技機から出力される所定の遊技信号を収集して、遊技者が獲得した手持ちの遊技媒体数を管理する管理装置を備えた遊技場管理システムにおいて、管理装置は、遊技信号に基づいて手持ちの遊技媒体数を遊技機毎に算出する算出手段と、各遊技機における遊技者の入替りを判定する入替り判定手段と、入替り判定手段によって入替りが判定された遊技機の手持ちの遊技媒体数を初期化する初期化手段とを備えた構成としてある。
【発明の効果】
【０００９】
本発明によれば、各遊技機における遊技者毎の出玉数を正確に把握し、遊技場内の出玉の管理を行うことができる。
【図面の簡単な説明】
【００１０】
【図１】本発明の実施形態に係る遊技場管理システムの概略構成図である。
【図２】本発明の実施形態に係る島管理装置の構成を示すブロック図である。
【図３】本発明の実施形態に係る遊技場管理システムの動作を示す動作手順図である。
【図４】本発明の実施形態に係る遊技場管理システムの異常判定処理を示すフローチャートである。
【図５】本発明の実施形態に係る遊技場管理システムの補正処理を示すフローチャートである。
【図６】本発明の実施形態に係る計数装置での表示を示す図である。
【図７】本発明の実施形態に係る遊技履歴表の一例を示す図である。
【図８】本発明の実施形態に係る手持ちの遊技媒体数の変化を示すスランプグラフである。
【図９】本発明の実施形態に係る異常履歴表の一例を示す図である。
【図１０】本発明の実施形態に係る貸出レート別異常履歴表の一例を示す図である。
【発明を実施するための形態】
【００１１】
以下、本発明に係る遊技場管理システムの好ましい実施形態について図面を参照して説明する。
ここで、以下の実施形態に示す遊技場管理システムは、プログラムに制御されたコンピュータによって動作するようになっている。通常、プログラムは、コンピュータの各構成要素に指令を送り、所定の処理、例えば、管理装置におけるデータの記憶・出力・送信・演算等を行わせる。このように、本発明の遊技場管理システムにおける各処理、動作は、プログラムとコンピュータとが協働した具体的手段により実現されるものである。なお、プログラムは予め記憶媒体に格納され、コンピュータに実装された記憶媒体からコンピュータにプログラムを読み込ませて実行されるが、例えば通信回線を介してコンピュータに読み込ませることもできる。
【００１２】
［遊技場管理システム１の構成］
まず、図１を参照して、本発明の実施形態に係る遊技場管理システムの構成について説明する。図１は、本発明の実施形態に係る遊技場管理システムの概略構成図である。
図１に示すように、遊技場管理システム１は、遊技機１０と遊技媒体貸出機２０とに接続される台管理装置３０と、島管理装置４０と、親島管理装置５０と、遊技場管理装置８０と、計数装置６０とを備えている。
【００１３】
遊技機１０は、パチンコ機，スロットマシン，アレンジボール機，雀球機等、玉やメダル等の所定の遊技媒体を使用して遊技を行う各種の遊技機が含まれる。また、各遊技機１０からは、遊技媒体の投入毎に出力されるアウト信号、遊技媒体の払出し毎に出力されるセーフ信号、一ゲーム毎に出力されるスタート信号、大当り時に出力される大当り信号等の各種遊技信号が出力される。
【００１４】
遊技媒体貸出機２０は、通常、各遊技機１０に一台ずつ備えられており、プリペイドカードまたは現金の投入に応じて、所定数の遊技媒体を貸し出す。また、遊技媒体貸出機２０は、台管理装置３０へ貸出信号を出力する。この貸出信号は、例えば、プリペイドカードまたは現金の投入金額に応じた遊技媒体の貸出数を示す信号が送信される。
【００１５】
台管理装置３０は、遊技機１０と遊技媒体貸出機２０とに接続されており、遊技機１０と遊技媒体貸出機２０とから出力された信号を受信し、通信回線を介して島管理装置４０へ信号を送信する。なお、通信回線は、周知の通信回線を用いることができる。
島管理装置４０は、プログラム制御により動作するコンピュータであって、各台管理装置３０から通信回線を介して送信される各種遊技信号（アウト信号、セーフ信号、スタート信号、大当り信号等）に基づき算出される各種遊技情報（アウト玉数、セーフ玉数、スタート回数、大当り回数、大当り出玉数等）、貸出信号に基づき算出される貸出情報（貸出数）を、集計・蓄積して管理する。なお、島管理装置４０の具体的な構成については後述する。
【００１６】
親島管理装置５０は、各島管理装置４０から送信されてきた信号を受信し、適宜蓄積または集計して遊技場管理装置８０へ送信する。
遊技場管理装置８０は、親島管理装置５０などから送信されてきた信号を受信し、各種情報を集計・管理する既存のホールコンピュータであって、各遊技機１０の遊技状況の他に、遊技場において必要な管理情報や営業管理情報を集計・管理する。
【００１７】
そして、通常、遊技機１０と、遊技媒体貸出機２０と、台管理装置３０とが複数配列されて一つの遊技機島を構成し、各遊技機島単位には島管理装置４０が備えられ、遊技場内には複数の遊技機島が並設されている。また、各遊技島は、一遊技媒体あたりの貸出料金（以下、貸出レート）が異なるように区画され、後述する計数装置６０は、この区画に合わせて各遊技島に設けられている。
【００１８】
計数装置６０は、遊技機１０において遊技者が獲得した遊技媒体を計数するための装置であり、遊技場内の複数箇所（例えば、遊技島端）に設置されている。また、計数装置６０は、遊技で獲得した遊技媒体を計数する計数部６０ａと、この計数部６０ａと接続され、計数結果をチケットに記録して発行するチケット発行部６０ｂとを備えて構成されている。なお、本実施形態における計数装置６０は、貸出レート毎に設けられており、遊技機または遊技島の貸出レートに対応した計数装置６０で計数を行うようになっている。
そして、計数部６０ａに獲得した遊技媒体が投入されると、その個数が自動的に計数されるとともに、計数結果を記録したチケットがチケット発行部６０ｂから発行される。これにより、遊技者は、発行されたチケットを遊技場内の景品交換カウンタに提示することで、獲得した遊技媒体数に応じた所定の景品と交換することができる。
【００１９】
また、本実施形態におけるチケット発行部６０ｂは、島管理装置４０が備える後述する算出手段４８によって算出された手持ちの遊技媒体数を受信し、この手持ちの遊技媒体数から計数部６０ａで計数した計数値を減算して差数を得る。そして、この差数と基準となる値とを比較し、比較結果に基づいて異常の判定処理を行う異常判定処理手段を備えている。なお、異常判定処理手段が行う異常判定処理の詳細については後述する。
【００２０】
さらに、計数装置６０は島管理装置４０へ遊技機情報を送信する遊技機情報送信手段を備えている。この遊技機情報は、遊技機１０を特定可能な情報であって、例えば、後述するリモコン７０によって入力される台番号を含んだ情報である。そして、計数装置６０は、リモコン７０から出力される遊技機情報をリモコン受光部（図示しない）で受信し、島管理装置４０へ送信する。これにより、島管理装置４０は計数を行った遊技機１０、すなわち遊技者が入替った遊技機１０を容易に特定することができる。
また、図示しないが、チケット発行部６０ｂには、例えば、液晶パネルからなる表示画面が設けられており、この表示画面を介して遊技場従業員及び遊技者は、計数結果・異常判定結果を確認することができる。
なお、本実施形態の以下の説明においては、遊技機１０をパチンコ機とし、計数部６０ａをパチンコ玉を計数するパチンコ玉用計数機として説明する。
【００２１】
リモコン７０は、遊技場従業員が携帯し、遊技機１０本体上部に設けられた呼出ランプのリモコン受光部（図示しない）や計数装置６０に設けられたリモコン受光部（図示しない）などへ信号を送信するための入力手段である。
そして、このリモコン７０は、赤外光を送信媒体としたものであり、テンキースイッチを含む操作スイッチ群を操作することで、遊技機１０を特定する台番号を入力するとともに台番号を示す信号を外部に送信する。
【００２２】
次に、本実施形態における島管理装置の詳細な構成について、図２を参照して説明する。図２は、本実施形態に係る島管理装置の構成を示すブロック図である。
図２に示すように、本実施形態における島管理装置４０は、記憶手段４１と、表示手段４２と、通信手段４３と、入力手段４４と、制御手段４５と、入替り判定手段４６と、初期化手段４７と、算出手段４８と、補正手段４９とを備えている。
【００２３】
記憶手段４１は、島管理装置４０が備える各種機能に関するプログラム、遊技に関する所定の情報などを記憶する。
具体的には、例えば、遊技機１０からの各種遊技信号に基づき算出される各種遊技情報、遊技媒体貸出機２０からの貸出信号に基づき算出される貸出数、後述する算出手段４８によって算出される手持ちの遊技媒体数等を記憶する。
【００２４】
また、記憶手段４１は、各計数装置６０と各遊技機１０とが対応付けされた情報を記憶する。これは、貸出レート毎に設けられた各計数装置６０と各遊技機１０とを対応付けすることで、遊技機１０と対応付けられていない計数装置６０で遊技媒体が計数された場合に異常と認識することができる。その結果、異なる貸出レートへの遊技媒体の持出し・持込みを判別することができる。
さらに、記憶手段４１は、計数装置６０において実行される後述する異常判定処理による判定の結果、異常が発生した遊技機１０に関する情報（エラー履歴情報）を記憶する。このエラー履歴情報には、例えば、異常発生時間、異常の種類、遊技機の台番号、貸出レート、手持ちの遊技媒体数、計数値等を示す情報が含まれる。
【００２５】
表示手段４２は、例えば、液晶ディスプレイなどで構成されており、所定の情報を画面表示することができる。具体例には、例えば、各遊技機１０の遊技の履歴を時系列に表示する遊技履歴表（図７参照）やエラー履歴情報を時系列に表示する異常履歴表（図９及び図１０参照）等が表示される。なお、遊技履歴表及び異常履歴表の詳細については後述する。
また、表示手段４２は、これらの表示に限らず、遊技場の経営に関わる重要な情報（例えば、売上、粗利等）を表示させることもできる。
【００２６】
通信手段４３は、通信回線を介して送信されてくる各種遊技信号、貸出信号等を受信し、制御手段４５へ送る。
入力手段４４は、例えば、キーボード、マウス、入力ペン等で構成されており、島管理装置４０が備える各種機能の実行命令や各種情報等を入力する。
【００２７】
制御手段４５は、ＣＰＵなどで構成されており、記憶手段４１に記憶されているプログラムを読み込んで実行することにより、島管理装置４０が備える各種機能を実行・制御する。具体的には、制御手段４５は、通信手段４３で受信した各種信号を変換して記憶手段４１へ情報を記憶する。また、制御手段４５は、入力手段４４から表示要求を示す信号を受信すると、この信号に応じた情報を記憶手段４１から抽出して、表示手段４２へ表示させる。
【００２８】
入替り判定手段４６は、各遊技機１０における遊技者の入替りを判定する。
例えば、遊技機１０から稼働を示す遊技信号であるアウト信号が入力された後、所定時間入力がされない場合には遊技者の入替りと判定する。
また、入替り判定手段４６は、リモコン７０からの入力に基づいて、計数装置６０から遊技を終了した遊技機１０の遊技機情報（台番号）を受信した場合は、この台番号が示す遊技機１０を遊技者が入替った遊技機１０と判定する。
このように、島管理装置４０は判定対象となる遊技機１０を容易に特定して遊技者の入替りを判定することができる。
なお、遊技者の入替りを判断する方法としては、上述の方法に限らず、例えば、遊技機１０毎に設置されたカードリーダへの会員カードなどの抜き差しに基づいて遊技者の入替りを判断することとしても良い。
【００２９】
初期化手段４７は、入替り判定手段４６によって遊技者の入替りが判定されたときに、この判定された遊技機１０における現在の手持ちの遊技媒体数を初期化する。これは、通常、一の遊技機１０では複数の遊技者が入替って遊技が行われるため、各遊技者がどの程度出玉を獲得したかを把握するために、遊技者が入替った際に手持ちの遊技媒体数を初期化する。
【００３０】
算出手段４８は、遊技者が遊技によって獲得した現在の手持ちの遊技媒体数を遊技機１０毎に算出する。具体的には、記憶手段４１に格納されている所定の遊技情報から手持ちの遊技媒体数を算出する。例えば、「貸出数＋セーフ玉数−アウト玉数」からなる演算で求めることができる。
補正手段４９は、チケット発行部６０ｂから送信された差数の値に応じて、差数分を次の遊技者の手持ちの遊技媒体数とする補正を行う。なお、補正手段が行う補正処理の詳細については後述する。
【００３１】
次に、計数装置６０のチケット発行部６０ｂが行う異常判定処理について説明する。
チケット発行部６０ｂは、島管理装置４０において台番号に基づいて入替りが判定された遊技機の手持ちの遊技媒体数を受信し、この手持ちの遊技媒体数から計数部６０ａで計数した計数値を減算して差数を得る。
そして、チケット発行部６０ｂは、この差数が正の数であって、かつ、所定範囲外の場合は、遊技媒体の持出しによる異常と判定し、差数が負の数であって、かつ、所定範囲外の場合は、遊技媒体の持込みによる異常と判定する。
これは、例えば、遊技媒体が他の遊技場から不正に持込みが行われた場合や遊技場内で不正に持出しが行われた場合、遊技機１０における手持ちの遊技媒体数または計数値が大幅に変化し、手持ちの遊技媒体数と計数値との差数が所定範囲を超えることになる。そして、差数が正の場合は、手持ちの遊技媒体数が大幅に多いため、持出しによる異常と判定し、差数が負の場合は、計数値が大幅に多いため、持込みによる異常と判定とする。
【００３２】
これによって、差数が大幅に生じて所定範囲外となった場合に不正な行為が行われたと判断することができ、遊技媒体の持込み・持出しによる行為を確実に発見することができる。
なお、本実施形態では、計数装置６０に異常判定処理手段を備え、異常判定処理を行うこととしたが、これに限らず、島管理装置４０に異常判定処理手段を備えることによって異常判定処理を行うこともできる。
【００３３】
次に、島管理装置４０の補正手段４９が行う補正処理について説明する。
補正手段４９は、計数装置６０から送信された差数が正の数であって、かつ、所定範囲内の場合は、この差数を次の遊技者の手持ちの遊技媒体数として補正を行う。
これは、例えば、一の遊技機１０において、遊技者が遊技終了後に遊技媒体の計数を行う前に、次の遊技者が遊技を開始し、その後に先の遊技者が計数を行った場合では、遊技機１０における手持ちの遊技媒体数が、次の遊技者の遊技分（差数）だけ変化してしまう。その結果、遊技者毎の正確な手持ちの遊技媒体数を得ることができないため、この差数分を次の遊技者の手持ちの遊技媒体数とする補正を行う。
これによって、一の遊技機１０において遊技者毎に手持ちの遊技媒体数を調整することが可能であるとともに、遊技媒体数の計数時に正確な出玉の照合を行うことができる。
【００３４】
[遊技場管理システム１の動作]
次に、本実施形態における遊技場管理システムの動作について、図３〜図５を参照して説明する。
図３は、本実施形態に係る遊技場管理システムの動作を示す動作手順図であり、図４は、本実施形態に係る遊技場管理システムの異常判定処理を示すフローチャートであり、図５は、本実施形態に係る遊技場管理システムの補正処理を示すフローチャートである。
【００３５】
図３に示すように、まず、遊技を終了した遊技者は、獲得した遊技媒体を計数するために遊技場従業員の立会いのもと計数装置６０で計数を行う。このとき、遊技場従業員によるリモコン７０のテンキースイッチの操作によって、遊技が終了し、手持ちの遊技媒体数を計数する遊技機１０を特定する台番号が入力される（ステップＳ１０）。
そして、遊技場従業員は、例えば、計数装置６０が備えるリモコン受光部へ向けて信号を送信し、台番号がチケット発行部６０ｂから親島管理装置５０を介して島管理装置４０へ送信される。なお、遊技機１０を特定する台番号の入力は、リモコン７０からの入力に限らず、例えば、計数装置６０に備える入力部（図示しない）から入力することとしてもよい。
【００３６】
そして、島管理装置４０は、通信手段４３によって台番号を受信するとともに、算出手段４８が台番号から特定した遊技機１０における現在の手持ちの遊技媒体数を算出する（ステップＳ１１）。具体的には、記憶手段４１に格納されている遊技情報から手持ちの遊技媒体数を、例えば、「貸出数＋セーフ玉数−アウト玉数」として算出する。なお、算出された手持ちの遊技媒体数は、記憶手段４１に記憶されるとともに、計数装置６０へ送信される。
また、島管理装置４０は、計数装置６０から台番号を受信することにより、この台番号が示す遊技機１０において遊技者が入替ったと判定する。そして、入替ったと判定された遊技機１０の手持ちの遊技媒体数を初期化する（ステップＳ１２）。このように手持ちの遊技媒体数を初期化することによって、次の遊技者の遊技に備えることができる。
【００３７】
一方、計数部６０ａに遊技媒体が投入されると、遊技媒体の個数が計数されて、計数値が求められる（ステップＳ１３）。そして、この計数値は計数部６０ａからチケット発行部６０ｂへ送信される。
そして、チケット発行部６０ｂは、ステップＳ１１で算出された手持ちの遊技媒体数を親島管理装置５０を介して受信するとともに、計数部６０ａから得た計数値と比較し、差数を求める（ステップＳ１４）。具体的には、手持ちの遊技媒体数から計数値を減算することで差数を求める。そして、この差数に応じて後述する異常判定処理を行う（ステップＳ１５）。
【００３８】
次に、チケット発行部６０ｂから、計数値と、差数と、ステップＳ１５における異常判定処理の結果であるエラー履歴情報とが親島管理装置５０を介して島管理装置４０へ送信される。
そして、島管理装置４０は、通信手段４３によってこれらの情報を受信し、記憶手段４１に記憶されている各計数装置６０と各遊技機１０とが対応付けされた情報を参照し、入替りが判定された遊技機１０と対応付けられていない計数装置６０で遊技媒体が計数された場合には異常と判定する。その結果、異なる貸出レートへの遊技媒体の持出し・持込みによる不正な計数処理を認識することができる。
次に、島管理装置４０は、受信した差数に応じて後述する補正処理を行う（ステップＳ１６）。そして、チケット発行部６０ｂから送信されたエラー履歴情報を記憶手段４１に記憶する（ステップＳ１７）。
【００３９】
一方、チケット発行部６０ｂは、例えば図６に示すように、台番号、手持ちの遊技媒体数、差数、稼働状態、計数値等を表示画面に表示する（ステップＳ１８）。
なお、稼働状態は、通信回線を介して受信する各種遊技信号に基づき表示され、例えば、稼働を示す遊技信号（アウト信号など）を受信していない場合には「非稼動中」、稼働を示す遊技信号を受信した場合には「稼働中」、大当り信号を受信した場合には「特賞中」等で表示される。その結果、表示画面を介して遊技場従業員は、計数結果、異常判定結果、遊技機の稼働状態を把握することができる。
また、例えば、差数が生じている場合には、表示画面の背景色を変えるなどの警告表示を施すことで、注意を喚起することとしてもよい。
そして、遊技場従業員によって所定の発行操作がされると、表示画面に表示された情報を含む結果を記録したチケットが遊技者へ発行される（ステップＳ１９）。
【００４０】
次に、上述した動作手順における異常判定処理（ステップＳ１５）について、図４を参照して具体的に説明する。
まず、計数装置６０が備える異常判定処理手段は、先のステップＳ１４で求めた差数が所定範囲内か否かを判定する（ステップＳ１５１）。ここで、所定範囲とは、例えば、遊技媒体の貸出しにおける一単位の範囲（−２５０玉〜＋２５０玉）として予め設定されている。
また、所定範囲の設定を、例えば、遊技機１０の稼働状態に応じて予め設定し、判定を行うとなおよい。
具体的には、対象となる遊技機１０の稼働状態が稼動中の場合は、遊技媒体の貸出しがされることによって貸出数が増加し、手持ちの遊技媒体数がプラスに増加すると考えられるため、遊技媒体の貸出しにおける単位分（例えば、−２５０玉〜＋２５０玉）を所定範囲とする。非稼動の場合は、手持ちの遊技媒体数の増加を考慮する必要がないため、玉こぼしなどによる誤差を考慮した分（例えば、−５０玉〜＋５０玉）を所定範囲とし、特賞中の場合は、大当りによってセーフ玉数が増加することで、手持ちの遊技媒体数がプラスに大幅に増加すると考えられるため、大当りによる入賞数を考慮した分（例えば、−２５０玉〜＋１０００玉）を所定範囲として設定する。
このように、遊技機１０の稼働状態に応じた所定範囲を設定することによって、さらに正確な異常判定を行うことが可能となる。なお、所定範囲の値は、適宜必要に応じて変更することができる。
【００４１】
ステップＳ１５１における判定の結果、差数が所定範囲内である場合は（ステップＳ１５１：ＹＥＳ）、異常判定処理を終了する。
一方、差数が所定範囲外である場合は（ステップＳ１５１：ＮＯ）、異常判定処理手段は、異常と判定し、以下のステップにおいて判定処理を行う。
そして、異常判定処理手段は、差数が正の数であるか否かを判定し（ステップＳ１５２）、判定の結果、差数が正の数である場合は（ステップＳ１５２：ＹＥＳ）、計数値より手持ちの遊技媒体数が大幅に多いため、遊技媒体の持出しによる異常と判定し、「持出し異常」を示すエラー履歴情報を作成する（ステップＳ１５３）。
【００４２】
また、差数が負の数である場合は（ステップＳ１５２：ＮＯ）、手持ちの遊技媒体数より計数値が大幅に多いため、遊技媒体の持込みによる異常と判定し、「持込み異常」を示すエラー履歴情報を作成する（ステップＳ１５４）。
このように、遊技に際して遊技者が獲得した遊技媒体数（手持ちの遊技媒体数）と遊技者が計数装置６０で計数した遊技媒体数（計数値）とを求め、手持ちの遊技媒体数と計数値との差数に基づいて、不正な行為が行われたか否かを判定することができる。
【００４３】
次に、上述した動作手順における補正処理（ステップＳ１６）について、図５を参照して具体的に説明する。
まず、島管理装置４０が備える補正手段４９は、先のステップＳ１４で求めた差数が所定範囲内か否かを判定する（ステップＳ１６１）。判定の結果、差数が所定範囲外である場合は（ステップＳ１６１：ＮＯ）、補正処理を終了する。
【００４４】
一方、差数が所定範囲内である場合は（ステップＳ１６１：ＹＥＳ）、続いて補正手段４９は、差数が正の数であるか否かを判定する（ステップＳ１６２）。
判定の結果、差数が正の数である場合は（ステップＳ１６２：ＹＥＳ）、手持ちの遊技媒体数を補正する（ステップＳ１６３）。すなわち、遊技を終了した遊技者が遊技に係る遊技媒体を計数する前に、次の遊技者が同一の遊技機１０で遊技を開始しているため、差数が生じたと判断することができる。そのため、この差数分を次の遊技者の手持ちの遊技媒体数とすることで補正を行う。その結果、次の遊技者が計数を行う際には正確な出玉の照合が可能となる。
【００４５】
また、ステップＳ１６１における判定は、上述の異常判定処理と同様に、対象となる遊技機１０の稼働状態に応じて予め設定された所定範囲に基づいて判定を行うとなおよい。
具体的には、例えば、遊技を終了した遊技者が計数する前に、次の遊技者が同一の遊技機１０で遊技を開始し、すぐに大当りとなった場合（稼働状態が特賞中）では、大当りによる出玉数（セーフ玉数）によって、手持ちの遊技媒体数が増加し、差数がプラスに拡大する。そのため、稼働状態が特賞中の場合に設定された所定範囲に基づいて判定を行うことで、大当りによって大幅に生じた差数を所定範囲内とすることができるとともに、この差数分を次の遊技者の手持ちの遊技媒体数として補正することが可能となる。
【００４６】
[遊技履歴表]
次に、島管理装置４０（表示手段４２）において表示される遊技履歴表を用いて、遊技者毎の出玉の照合について具体的に説明する。図７は、本実施形態に係る遊技履歴表の一例を示す図である。
【００４７】
本実施形態における遊技場管理システム１では、図７に示すように、遊技機１０を遊技した遊技者毎の遊技履歴を表示することができる。この遊技履歴表は、記憶手段４１に記憶されている遊技情報から所定の情報を抽出することで、遊技の履歴を時系列で表示する。
なお、図７（ａ）は、台番号が１２３番台の遊技機１０に対する遊技者毎の遊技履歴を示し、図７（ｂ）は、台番号が１３５番台の遊技機１０に対する遊技者毎の遊技履歴を示している。
【００４８】
まず、図７（ａ）において、「１０：２０〜１１：４８」間の遊技者Ａ及び遊技者Ｂによる遊技の履歴について説明する。
遊技者Ａが遊技を終了した「１１：１６」の手持ちの遊技媒体数は、貸出数「１０００」、アウト玉数「２０４７」、セーフ玉数「５４００」から、貸出数＋セーフ玉数−アウト玉数＝１０００＋５４００−２０４７＝「４３４３」と算出される。そして、遊技者Ａが「１１：２３」に計数を行うと、上述した動作手順（図３参照）に沿って処理が行われ、差数「２００」が求められる。
【００４９】
これは、遊技者Ａが遊技を終了（１１：１６）してから、計数を行う（１１：２３）までの間に、遊技者Ｂによって遊技が開始（１１：２０）されたことにより、手持ちの遊技媒体数の変化が生じたためである。具体的には、遊技者Ａが計数を行うまでの間に遊技者Ｂの遊技において、貸出数「２５０」、アウト玉数「５０」が生じ、遊技者Ａが計数を行った際の手持ちの遊技媒体数が、４３４３＋２００＝「４５４３」と算出される。その結果、遊技者Ａの計数時の差数は、手持ちの遊技媒体数−計数値＝４５４３−４３４３＝「２００」として求められることになる。
そして、上述した補正処理によって、差数「２００」が所定範囲内であって、かつ、正の数であると判定されるため、次の遊技者である遊技者Ｂの手持ちの遊技媒体数が「２００」と補正される（１１：２３）。その結果、遊技者Ｂが遊技を終了し、「１１：４８」に遊技媒体を計数する際には出玉の照合が正確に行われる。
【００５０】
次に、図７（ａ）で示した遊技者Ａ及び遊技者Ｂの遊技において生じた差数に対する手持ちの遊技媒体数の補正について、図８を参照して具体的に説明する。
図８は、遊技機における手持ちの遊技媒体数の変化を示す、いわゆるスランプグラフであって、図８（ａ）は、補正前における手持ちの遊技媒体数の変化を示しており、図８（ｂ）は、補正後における手持ちの遊技媒体数の変化を示している。なお、縦軸に手持ちの遊技媒体数を規定し、横軸に稼働時間を規定する。
【００５１】
図８（ａ）は、台番号が１２３番台の遊技機１０に対するスランプグラフであり、遊技者Ａ及び遊技者Ｂにおける手持ちの遊技媒体数の累計数を示している。
上述したように遊技者Ａの計数前に遊技者Ｂが遊技を開始することによって、差数「２００」が生じている。そして、この差数「２００」を遊技者Ｂにおける手持ちの遊技媒体数として補正することによって、図８（ｂ）に示すスランプグラフとして表示されることになる。
【００５２】
再び、図７（ａ）に戻って説明を続ける。
次に、「１２：２０〜１２：５５」間の遊技者Ｃによる遊技の履歴について説明する。遊技者Ｃが遊技を終了した「１２：４５」の手持ちの遊技媒体数は、貸出数「２５００」、アウト玉数「２５００」から、手持ちの遊技媒体数は、２５００−２５００＝「０」と算出される。すなわち、遊技者Ｃは貸出数の全てを遊技に投入し、遊技を終了した場合であって、手持ちの遊技媒体数は「０」となり計数がされることはない。
このような場合、本実施形態における島管理装置４０（入替り判定手段４６）は、遊技機１０から稼働を示す遊技信号の入力が所定時間（例えば、５分）されない場合に、遊技者の入替りと判定する。このように、稼働を示す遊技信号の入力が所定時間ない場合に遊技者の入替りと判定し、手持ちの遊技媒体数を初期化することで、次の遊技者の遊技に備えることができる。
【００５３】
次に、「１３：００〜１３：４５」間の遊技者Ｄによる遊技の履歴について説明する。遊技者Ｄが遊技を終了した「１３：２２」の手持ちの遊技媒体数は、「−１０００」と算出される。
このとき、例えば、島管理装置４０は、遊技機１０から稼働を示す遊技信号の入力が所定時間されないことから遊技者の入替りと判定し、この入替りと判定された情報を計数装置６０が受信した後に、所定時間経過しても計数がされない場合は、計数装置６０は計数値をゼロとみなす。
このように、本実施形態における計数装置６０は、遊技者の入替りを判定した後に、さらに、所定時間経過しても計数がされない場合、入替りと判定された遊技機１０の計数値をゼロとみなす。その結果、手持ちの遊技媒体数「−１０００」と計数値「０」とから、差数「−１０００」が求められ、上述した異常判定処理によって、この差数「−１０００」が所定範囲外であって、かつ、負の数であると判定されるため、持込みによる異常と判定される。
なお、島管理装置４０において、通常の遊技（貸出数での遊技）では、手持ちの遊技媒体数は必ずプラスとなることより、手持ちの遊技媒体数がマイナスと算出された場合は、持ち込んだ遊技媒体によって遊技が行われていると判断し、持込みによる異常と判定してもよい。
また、「１３：４６〜１３：５３」間の遊技者Ｅによる遊技の履歴において、遊技者Ｅが遊技を終了し、「１３：５３」に計数を行うと、差数（−３７００）が求められる。そして、上述した異常判定処理によって、この差数（−３７００）が所定範囲外であって、かつ、負の数であると判定されるため、持込みによる異常と判定される。
なお、異常と判定された場合においても、手持ちの遊技媒体数が初期化されて、次の遊技者の遊技に備えるようになっている。
【００５４】
次に、図７（ｂ）において、「１２：０３〜１２：５０」間の遊技者Ｃによる遊技の履歴について説明する。遊技者Ｃによる遊技において、「１２：３５」における手持ちの遊技媒体数は、「３７００」と算出される。
このとき、上述した図７（ａ）における遊技者Ｄの遊技と同様に、遊技機１０から稼働を示す遊技信号が所定時間入力されないため、島管理装置４０によって遊技者の入替りと判定され、この入替りと判定された情報を計数装置６０が受信した後に、さらに所定時間経過しても計数がされない場合には、計数値をゼロとみなす。
これにより、差数「３７００」が求められ、上述した異常判定処理によって、この差数「３７００」が所定範囲外であって、かつ、正の数であると判定されるため、持出しによる異常と判定される。すなわち、獲得した出玉を計数することなく移動した（持出した）と判断し、持出しによる異常と判定する。
また、「１２：５２〜１３：１１」間の遊技者Ｄによる遊技の履歴において、遊技者Ｄが遊技を終了し、「１３：１１」に計数を行うと、差数「１０００」が求められる。そして、上述した異常判定処理によって、この差数「１０００」が所定範囲外であって、かつ、正の数であると判定されるため、持出しによる異常と判定される。
【００５５】
[異常履歴表]
次に、島管理装置４０（表示手段４２）において表示される異常履歴表について説明する。図９は、本実施形態に係る異常履歴表の一例を示す図であり、図１０は、本実施形態に係る貸出レート別異常履歴表の一例を示す図である。
【００５６】
図９に示す異常履歴表は、記憶手段４１に記憶されているエラー履歴情報を時系列に表示する。この異常履歴表は、例えば、異常発生時間、異常の種類、遊技機の台番号、貸出レート、手持ちの遊技媒体数、計数値、差数等が表示される。
【００５７】
また、異常履歴表では、どの遊技機１０において、遊技媒体の持出しと持込みに係る行為が行われたかを発見するため、各エラー履歴情報が比較・照合される。具体的には、持出し異常と判定された遊技機１０と持込み異常と判定された遊技機１０とが比較され、この遊技機１０がそれぞれ異なる台番号であって、かつ、差数が近似していれば異常な行為と判断される。
例えば、「１２：５０」の持出し異常による情報と「１３：５３」の持込み異常による情報とは、異なる台番号であり、かつ、差数が「３７００」と「−３７００」とでプラス・マイナスの値で同数であるため、異常な行為と判断される。これは、遊技機１０で獲得した遊技媒体を持出し、他の遊技機１０へ持ち込んで遊技が行われた（台移動）と推測できる。すなわち、１３５番の遊技機１０で獲得した遊技媒体を持出し、１２３番の遊技機１０へ持込みがされたと判断することができる。
これによって、遊技場側では、異常履歴表に表示されたエラー履歴情報を監視することで、持出し・持込みによる行為を一目で発見することができる。
【００５８】
また、図１０に示す貸出レート別異常履歴表は、異常履歴表に表示されるエラー履歴情報が貸出レート別に表示される。
例えば、「１３：３０」の持出し異常による情報（貸出レートＢ）と、「１５：１０」の持込み異常による情報（貸出レートＡ）とは、異なる台番号であり、かつ、差数が「１５００」と「−１５００」とでプラス・マイナスの値で同数であるため、異常な行為と判断される。すなわち、貸出レートが１円である３５６番の遊技機１０で獲得した遊技媒体を持出し、貸出レートが４円である１３７番の遊技機１０へ持込みがされたと判断することができる。
また、図１０に示す貸出レート別異常履歴表では、低レートから高レートへの移動と推測されるエラー履歴情報については、背景色を変えるなどの強調表示を施すことで、特に注意を要する情報として喚起することができる。
これによって、異なる貸出レートへの遊技媒体の持出し・持込みを把握することができる。特に、遊技場の利益に被害が生じる低い貸出レートから高い貸出レートへの遊技媒体の持出し・持込みを確実に把握することができる。
【００５９】
以上説明したように、本実施形態の遊技場管理システム１によれば、島管理装置４０が備える入替り判定手段４６が、遊技の終了を示す遊技信号を受信した際に遊技者の入替りと判定し、この遊技者の入替りを判定した遊技機１０の現在の手持ちの遊技媒体数を初期化手段４７によって初期化する。これによって、島管理装置４０は遊技機１０毎の出玉を正確に管理することができ、さらに、一の遊技機１０において何人の遊技者がどの程度の遊技媒体を獲得したのかを正確に把握することが可能となる。
さらに、計数装置６０が備える異常処理手段が、手持ちの遊技媒体数から計数値を減算して算出した差数に基づいて異常判定処理を行う。これによって、島管理装置４０は、遊技媒体の持込み・持出しによる不正な操作を把握することができる。
【００６０】
以上、本発明の遊技場管理システムの好ましい実施形態について説明したが、本発明に係る遊技場管理システムは上述した実施形態にのみ限定されるものではなく、本発明の範囲で種々の変更実施が可能であることは言うまでもない。
例えば、上述した実施形態では、島管理装置と遊技場管理装置を、それぞれ１台備えた構成としたが、複数台備えてもよい。さらに、公衆通信回線などを介して複数遊技場の遊技情報を集計・管理することで、様々な情報を管理するようにしてもよい。
また、島管理装置が備える各手段を、台管理装置、親島管理装置、遊技場管理装置のいずれかが備える構成としてもよい。
【産業上の利用可能性】
【００６１】
本発明は、遊技場に設置された遊技機の情報を集計・管理する場合に有用であり、特に、遊技者の入替りを判定し、各遊技者が獲得した遊技媒体数を正確に把握する装置・遊技機等に利用可能である。
【符号の説明】
【００６２】
１０      遊技機
２０      遊技媒体貸出機
３０      台管理装置
４０      島管理装置
５０      親島管理装置
５６      入替り判定手段
５７      初期化手段
５８      算出手段
５９      補正手段
６０      計数装置
【図１】
2010240296.tif 000003
【図２】
2010240296.tif 000004
【図３】
2010240296.tif 000005
【図４】
2010240296.tif 000006
【図５】
2010240296.tif 000007
【図６】
2010240296.tif 000008
【図７】
2010240296.tif 000009
【図８】
2010240296.tif 000010
【図９】
2010240296.tif 000011
【図１０】
2010240296.tif 000012